(57)【要約】【課題】電子刊行物等の電子情報の中から連載情報を拾い読みする場合に比べて効率良く、かつ、連続性良く電子連載情報を視認できるようにすると共に、電子刊行物や電子単行本の販売を促進かつ拡大できるようにする。【解決手段】電子情報を配信する電子情報配信装置１と、この電子情報配信装置１から配信された電子情報を処理する携帯型情報端末装置１００とを備え、この電子情報配信装置１はユーザの携帯型情報端末装置１００に配信した電子情報の連載情報に関する再配信要求を受け付け処理し、この再配信要求に基づく電子情報から連載情報を抽出して電子連載情報を編集処理し、この電子連載情報をユーザへ配信処理するものである。定期購読者が贔屓する雑誌や新聞等の電子刊行物の中の連載漫画等をまとめて編集した電子単行本を配布するサービスシステム等を構築することができる。【選択図】        図１
2004199185.tif 000002
【特許請求の範囲】
【請求項１】
連載情報を含む任意の電子情報を配信するシステムであって、
前記電子情報を配信する電子情報配信装置と、
前記電子情報配信装置から配信された電子情報を情報処理する情報処理装置とを備え、
前記電子情報配信装置は、
使用者の前記情報処理装置に配信した前記電子情報の連載情報に関する再配信要求の受け付け処理をし、
前記再配信要求に基づく前記電子情報から連載情報を抽出して電子連載情報を編集処理し、
前記電子連載情報を使用者へ配信処理することを特徴とする電子情報配信システム。
【請求項２】
前記電子情報配信装置と前記情報処理装置とを接続する通信手段とを備えることを特徴とする請求項１に記載の電子情報配信システム。
【請求項３】
前記電子連載情報を紙又は電子記録媒体に記録して配布することを特徴とする請求項１に記載の電子情報配信システム。
【請求項４】
連載情報を含む任意の電子情報を配信する装置であって、
前記電子情報の連載情報に関する再配信要求を受け付ける入力手段と、
前記入力手段により受け付けられた前記再配信要求に基づく前記電子情報から連載情報を抽出して電子連載情報を編集する編集手段と、
前記編集手段により編集された前記電子連載情報を使用者へ配信する配信手段とを備えることを特徴とする電子情報配信装置。
【請求項５】
前記配信手段と既存の通信基盤とを接続する情報通信手段を有することを特徴とする請求項４に記載の電子情報配信装置。
【請求項６】
前記電子連載情報を紙出力する印刷装置を有することを特徴とする請求項４に記載の電子情報配信装置
【請求項７】
前記電子連載情報を記録媒体に記録する情報記録手段を有することを特徴とする請求項４に記載の電子情報配信装置。
【請求項８】
連載情報を含む任意の電子情報を配信する方法であって、
前記電子情報を定期又は不定期に使用者に配信し、
前記使用者に配信した前記電子情報の連載情報に関する再配信要求を受け付け、
前記再配信要求に基づく前記電子情報から連載情報を抽出して電子連載情報を編集し、
編集された前記電子連載情報を使用者へ配信することを特徴とする電子情報配信方法。
【請求項９】
前記電子連載情報を既存の通信基盤を利用して配信することを特徴とする請求項８に記載の電子情報配信方法。
【請求項１０】
前記電子連載情報を紙又は電子記録媒体に記録して配布することを特徴とする請求項８に記載の電子情報配信方法。
【発明の詳細な説明】
【０００１】
【発明の属する技術分野】
本発明は、定期又は不定期購読者を対象とした電子雑誌配信サービスシステムや、電子漫画配信サービスシステム、電子新聞配信サービスシステム等に適用して好適な電子情報配信システム、電子情報配信装置及び電子情報配信方法に関するものである。
【０００２】
詳しくは、連載情報を含む任意の電子情報を配信する電子情報配信装置を備え、この電子情報の連載情報に関する再配信要求を受け付け、この再配信要求に基づく電子情報から連載情報を抽出して電子連載情報を編集し、この電子連載情報を使用者へ配信するようにして、電子刊行物等の電子情報の中から連載情報を拾い読みする場合に比べて効率良く、かつ、連続性良く電子連載情報を視認できるようにすると共に、電子刊行物配信事業者にとって電子刊行物や電子単行本の販売を促進かつ拡大できるようにしたものである。
【０００３】
【従来の技術】
近年、携帯型情報端末装置などの表示装置において、新聞、雑誌などの電子情報を取り込んでディスプレイに表示させて記事を見ることができる電子情報配信システムが利用し始めている。この種のシステムで適用される携帯型情報端末装置によれば、表示画面の大きさが限られているため、実際の新聞、雑誌の大きさよりも小さい画面に、これらの記事を拡大して表示するようになされる。
【０００４】
このようなシステムで適用される新聞、雑誌など電子刊行物には購買促進を図るために、連載漫画や、連載小説、社説等が掲載される場合が多い。これらの連載情報は後日、単行本として販売される場合もある。ユーザの中にはこれらの連載情報を収集して後日、読み返したいという要求がある。このような場合に、各発行日毎のメモリカードをその都度、携帯型情報端末装置などの表示装置に装着して見る方法が採られる。
【０００５】
なお、電子情報の紙面イメージから読みたい記事を選択できるものもある。例えば、特許文献１には、電子情報の紙面イメージのうちから拡大率が可変可能な拡大機能を用いて紙面イメージ上の所望の場所を拡大して表示させる方法が記載されている。また特許文献２には記事の領域の枠を紙面イメージとして表示し、その部分をタッチパネルなどで選択することによりその部分の記事内容を表示させる方法が記載されている。
【０００６】
【特許文献１】
特開２００１−２４９７４６号公報
【特許文献２】
特開平８−２６５５５６号公報
【０００７】
【発明が解決しようとする課題】
しかしながら、従来例に係る電子情報配信システムによれば、以下のような問題がある。
▲１▼  既配信済みの複数の電子刊行物等の電子情報の中から、後日、４コママンガや、社説、小説等の連載情報を拾い読みしたい場合に、特許文献１のように電子情報の紙面イメージのうちから拡大機能を用いて所望の場所を拡大して表示させるものでは、いちいち読みたい場所を移動させなくてはならない煩わしさがある。特に小型携帯端末装置では、表示画面自体が小さいので拡大させる場所を特定する領域が限られる。因みに、既配信済みの複数の電子刊行物の中の小説等に関する連載情報を拾い読みする場合に、各発行日毎のメモリカードをその都度、表示装置等に装着し直して見るといった煩わしさがある。
【０００８】
▲２▼  また、特許文献２のように記事の領域の枠を表示して記事の領域を選択できるようにしたものでも、既配信済みの複数の電子刊行物等の電子情報の中から連載情報を拾い読みする場合に、単行本のようにその連載情報を連続性良く読んだり見たりすることができない。このことで、電子情報配信業者にとって電子刊行物の販売促進につながっていないのが現状である。
【０００９】
▲３▼  更に、既配信済みの複数の電子刊行物等の電子情報の中から、後日、連載情報を拾い読みすべく電子情報を蓄積しようとすると、この電子情報を記憶するための膨大なメモリ容量が必要なる。
【００１０】
そこで、この発明はこのような従来の課題を解決したものであって、電子刊行物等の電子情報の中から連載情報を拾い読みする場合に比べて効率良く、かつ、連続性良く電子連載情報を視認できるようにすると共に、電子情報配信業者にとって電子刊行物や電子単行本の販売を促進かつ拡大できるようにした電子情報配信システム、電子情報配信装置及び電子情報配信方法を提供することを目的とする。
【００１１】
【課題を解決するための手段】
上述した課題は、連載情報を含む任意の電子情報を配信するシステムであって、電子情報を配信する電子情報配信装置と、この電子情報配信装置から配信された電子情報を情報処理する情報処理装置とを備え、この電子情報配信装置は使用者の情報処理装置に配信した電子情報の連載情報に関する再配信要求の受け付け処理をし、この再配信要求に基づく電子情報から連載情報を抽出して電子連載情報を編集処理し、電子連載情報を使用者へ配信処理することを特徴とする電子情報配信システムによって解決される。
【００１２】
本発明に係る電子情報配信システムによれば、連載情報を含む任意の電子情報を配信する場合に、例えば、電子刊行物配信事業者の電子情報配信装置と定期購読者の情報処理装置とが通信手段により接続され、この電子情報配信装置から情報処理装置へ電子情報が配信される。情報処理装置では、電子情報配信装置から配信された電子情報を処理するようになされる。これを前提として、この電子情報配信装置は電子情報の連載情報に関する再配信要求の受け付け処理をし、再配信要求に基づく電子情報から連載情報を抽出して電子連載情報を編集処理し、この電子連載情報を使用者へ配信処理するものである。
【００１３】
従って、既配信済みの電子刊行物を記録媒体等から読み出してその電子刊行物の中から連載情報を拾い読みする場合に比べて効率良く、かつ、連続性良く電子連載情報を読み楽しむことができる。しかも、定期購読者の情報処理装置において、連載情報を後日読み直すための既配信済みの電子刊行物を全て記録するメモリ容量に比べて再配信要求に基づく電子連載情報を記憶するメモリ容量を大幅に削減することができる。また、電子刊行物配信事業者にとって電子刊行物や電子単行本の販売拡大を図ることができる。これにより、定期購読者が贔屓する雑誌や新聞等の電子刊行物の中の連載漫画等をまとめて編集した電子単行本を配布するサービスシステム等を構築することができる。
【００１４】
本発明に係る電子情報配信装置は、連載情報を含む任意の電子情報を配信する装置であって、電子情報の連載情報に関する再配信要求を受け付ける入力手段と、この入力手段により受け付けられた再配信要求に基づく電子情報から連載情報を抽出して電子連載情報を編集する編集手段と、この編集手段により編集された電子連載情報を使用者へ配信する配信手段とを備えることを特徴とするものである。
【００１５】
本発明に係る電子情報配信装置によれば、連載情報を含む任意の電子情報を配信する場合に、入力手段では電子情報の連載情報に関する再配信要求が受け付けられる。編集手段では、入力手段により受け付けられた再配信要求に基づく電子情報から連載情報を抽出して電子連載情報を編集するようになされる。これを前提として、配信手段では、編集手段により編集された電子連載情報を使用者へ配信するようになされる。
【００１６】
従って、既配信済み電子情報の中で使用者が再配信要求する連載情報をまとめた電子連載情報を再現性良くかつ確実に取得できるようになる。これにより、使用者において、既配信済みの電子刊行物を記録媒体等から読み出してその電子刊行物の中から連載情報を拾い読みする場合に比べて効率良く、かつ、連続性良く電子連載情報を読み楽しむことができる。しかも、定期購読者が贔屓する雑誌や新聞等の電子刊行物の中の連載漫画等をまとめて編集した電子単行本を配布するサービスシステム等に十分応用することができる。
【００１７】
本発明に係る電子情報配信方法は連載情報を含む任意の電子情報を配信する方法であって、電子情報を定期又は不定期に使用者に配信し、この使用者に配信した電子情報の連載情報に関する再配信要求を受け付け、再配信要求に基づく電子情報から連載情報を抽出して電子連載情報を編集し、ここで編集された電子連載情報を使用者へ配信することを特徴とするものである。
【００１８】
本発明に係る電子情報配信方法によれば、連載情報を含む任意の電子情報を配信する場合に、既配信済みの電子刊行物を記録媒体等から読み出してその電子刊行物の中から連載情報を拾い読みする場合に比べて効率良く、かつ、連続性良く電子連載情報を読み楽しむことができる。しかも、定期購読者が贔屓する雑誌や新聞等の電子刊行物の中の連載漫画等をまとめて編集した電子単行本を配布するサービスシステム等の構築に寄与するところが大きい。
【００１９】
【発明の実施の形態】
続いて、この発明に係る電子情報配信システム、電子情報配信装置及び電子情報配信方法の一実施の形態について、図面を参照しながら説明をする。
【００２０】
（１）実施形態
図１は本発明に係る実施形態としての電子情報配信システム１０の構成例を示すブロック図である。
この実施形態では、連載情報を含む任意の電子情報を配信する電子情報配信装置を備え、この電子情報の連載情報に関する再配信要求を受け付け、この再配信要求に基づく電子情報から連載情報を抽出して電子連載情報を編集し、この電子連載情報を使用者へ配信するようにして、電子刊行物等の電子情報の中から連載情報を拾い読みする場合に比べて効率良く、かつ、連続性良く電子連載情報を視認できるようにすると共に、電子情報配信事業者にとって電子刊行物や電子単行本の販売を促進かつ拡大できるようにしたものである。
【００２１】
図１に示す電子情報配信システム１０は定期購読契約を締結した使用者（ユーザ）２０へ連載情報を含む任意の電子情報を配信するシステムである。このシステム１０では電子情報配信業者側に電子情報配信装置１が備えられ、雑誌（週刊誌、月刊誌）、マンガ（コミック）、新聞、文庫新書等の電子情報がユーザ２０側へ配信される。電子情報配信装置１にはノート型のパーソナルコンピュータ（以下パソコンという）、デスクトップ型のパソコンが使用される。電子情報に関しては、例えば、新聞社や出版社等からメディア情報源を入手した電子情報配信業者１０５によって電子情報配信用にデータフォーマット変換等され、映像情報や音声情報が作成される。この電子情報が新聞の場合には例えば、４コママンガ、社説、小説等の連載情報が含まれる。
【００２２】
他方、ユーザ側には情報処理装置２が準備され、この電子情報配信装置１から配信された雑誌、マンガ、新聞等の電子情報を情報処理するようになされる。情報処理装置２には携帯型情報端末装置１００、ノート型のパソコン、デスクトップ型のパソコン、携帯電話機４等が使用される。情報処理装置２では例えば、表示モニタに映像情報を表示したり、スピーカから音声を出力するようになされる。
【００２３】
この電子情報配信装置１はユーザ２０の情報処理装置２に配信した電子情報の連載情報に関する再配信要求を受け付け、この再配信要求に基づく電子情報から連載情報を抽出して電子連載情報を編集し、電子連載情報をユーザ２０へ配信処理するようになされる。この電子連載情報は電子情報配信業者１０５からユーザ２０へ紙媒体又は電子情報記録媒体１３２に記録して配布するようになされる。
【００２４】
この例で電子情報配信装置１と情報処理装置２とは通信手段３により接続される。通信手段３には通信事業者の回線接続装置（交換機）５Ａ，５Ｂ、公衆通信網６及び無線通信設備７、通信ケーブル等が含まれる。公衆通信網６にはインターネットが含まれる。無線通信設備７は携帯電話機４と無線送受信処理する基地局に備えられる。回線接続装置５Ａ，５Ｂは回線加入者の宅内通信回線と通信事業者の公衆通信網６等とを接続するものである。もちろん、通信手段３にはアナログ及びデジタルの通信回線等の既存の通信基盤を含むものである。例えば、デジタル通信回線には高速データ通信可能なＩＳＤＮ通信回線が利用される。
【００２５】
続いて、本発明に係る電子情報配信方法について、当該電子情報配信システム１０における処理例について説明をする。図２は電子情報配信システム１０における処理例を示すフローチャートである。
【００２６】
この実施形態では、４コママンガ、社説、小説等の連載情報を含む任意の電子情報を配信する場合を前提とする。このシステムでは、電子情報の連載情報に関する再配信要求が有った、電子情報定期購読者に電子連載情報を配信する場合を想定する。
【００２７】
これを処理条件にして、図２に示すフローチャートのステップＡ１でユーザ２０と電子情報配信業者１０５との間で電子情報の定期購読契約を実行する。この定期購読契約に関しては定期又は不定期を問わない。そして、ステップＡ２で連載情報を含む、雑誌（週刊誌、月刊誌）、マンガ（コミック）、新聞、文庫新書等の電子刊行物を構成する電子情報を電子情報配信業者１０５の電子情報配信装置１からユーザ２０の情報処理装置２へ定期又は不定期にユーザ２０に配信する。
【００２８】
この電子情報には例えば、４コママンガ、社説、小説等の連載情報が含まれる。ユーザ２０側では、電子情報配信装置１から配信された雑誌、マンガ、新聞等の電子情報を情報処理するようになされる。例えば、雑誌、マンガ、新聞、文庫新書等の電子情報に基づいて表示モニタに映像情報を表示したり、スピーカから音声を出力するようになされる。
【００２９】
そして、電子情報配信業者１０５ではステップＡ３で電子情報の連載情報に関する再配信要求を受け付ける。受付期間は任意でも期限を区切ってもよい。この連載情報はユーザ２０に配信した電子情報に含まれるものである。この連載情報に関する再配信要求が有った場合は、電子情報配信業者１０５ではステップＡ４に移行して再配信要求に基づく電子情報から連載情報を抽出して電子連載情報を編集するようになされる。この編集で電子連載情報をデータストリーム化又は及び電子単行本化するようになされる。
【００３０】
ここで編集された電子単行本等の電子連載情報をステップＡ５でユーザ２０へ配信又は配布する。このとき、電子単行本は紙に記録して製本する形態により配布される。また、データストリーム化された電子単行本は、ユーザ２０の情報処理装置２へダウンロードする形態と、又は、メモリカードなどの電子記録媒体に記録されて配布する形態により実行される。
【００３１】
なお、ステップＡ３で連載情報に関する再配信要求が無かった場合は、ステップＡ６に移行して電子情報配信業者１０５では定期購読契約を解約する通知が有ったかをチェックする。定期購読契約を解約する通知が有った場合は、電子情報の配信処理を終了する。定期購読契約を解約する通知が無い場合は、ステップＡ２に戻って連載情報を含む電子情報を定期又は不定期にユーザ２０に配信する処理を継続する。以下、上述した処理を繰り返すようになされる。
【００３２】
このように、本発明に係る実施形態としての電子情報配信システム及び電子情報配信方法によれば、連載情報を含む任意の電子情報を配信する場合に、電子情報配信装置１によって電子情報の連載情報に関する再配信要求が受け付けられ、この再配信要求に基づく電子情報から連載情報を抽出して電子連載情報が編集され、この編集後の電子連載情報をユーザ２０へ配信するようになされる。
【００３３】
従って、既配信済みの電子刊行物を記録媒体等から読み出してその電子刊行物の中から連載情報を拾い読みする場合に比べて効率良く、かつ、連続性良く電子連載情報を読み楽しむことができる。しかも、定期購読者の情報処理装置２において、連載情報を後日読み直すための既配信済みの電子刊行物を全て記録するメモリ容量に比べて再配信要求に基づく電子連載情報を記憶するメモリ容量を大幅に削減することができる。また、電子情報配信業者１０５にとって電子刊行物や電子単行本の販売拡大を図ることができる。これにより、定期購読者が贔屓する雑誌や新聞等の電子刊行物の中の連載漫画等をまとめて編集した電子単行本を配布するサービスシステム等を構築することができる。
【００３４】
（２）実施例
図３は本発明に係る実施例としての電子書籍配信サービスシステム１０１の構成例を示す図である。
この実施例では電子情報配信システムの一例となる電子書籍配信サービスシステム１０１の構築し、電子情報の一例となる電子書籍情報Ｄ＃ｉ（ｉ＝１〜ｎ）の連載情報Ｄｉに関する再配信要求が受け付けられ、この再配信要求に基づく電子書籍情報Ｄ＃ｉから連載情報Ｄｉを抽出して電子連載情報Ｄ０が編集され、この編集後の電子連載情報Ｄ０をユーザ２０へ配信するようにしたものである。
【００３５】
図３に示す電子書籍配信サービスシステム１０１は、定期刊行物の購読契約を締結したユーザ２０へ連載情報Ｄｉを含む電子書籍情報Ｄ＃ｉを配信するシステムである。このシステム１０１では電子情報配信業者側に電子情報配信装置１が備えられ、雑誌（週刊誌、月刊誌）、マンガ（コミック）、新聞、文庫新書等の電子書籍情報Ｄ＃ｉがユーザ側へ配信される。電子情報配信業者１０５では、定期購読契約があった定期刊行物と、予め登録された単行本のタイトル等を関連付けてユーザ情報を管理するようになされる。
【００３６】
この例で出版社１０３は予め図３に示す経路▲１▼を通じて定期刊行物データ及び、単行本データの基礎となる４コママンガ、社説、小説等の連載情報Ｄｉを電子情報配信業者１０５へ提供する。電子情報配信業者１０５では、図３に示す経路▲１▼で入手した著作権に係る定期刊行物データ等を電子書籍情報配信用にデータフォーマット変換等され、映像情報や音声情報が作成される。新聞の電子書籍情報Ｄ＃ｉの場合に、４コママンガ、社説、小説等の連載情報Ｄｉが定期刊行物データに組み込まれる。
【００３７】
他方、ユーザ２０側には情報処理装置の一例となる携帯型情報端末装置１００が準備される。情報処理装置には、携帯型情報端末装置１００の他にノート型のパソコン、デスクトップ型のパソコン、携帯電話機等を使用してもよい。この例で電子情報配信装置１と携帯型情報端末装置１００とは既存の通信基盤が利用される。例えば、高速データ通信可能なＩＳＤＮ通信回線が利用される。これに先立ち、ユーザ２０は図３に示すルート▲２▼で定期刊行物サービスに加入する旨を電子情報配信業者１０５に登録したり、単行本発売時に欲しいタイトルを事前に登録する。
【００３８】
また、電子情報配信業者１０５は、図３に示すルート▲３▼でユーザ２０へ定期刊行物を電子配信したり、ユーザに対してコンテンツ料を課金したり、ユーザの再配信要求に係る単行本を配信する。例えば、電子情報配信装置１ではユーザ２０の携帯型情報端末装置１００に配信した電子書籍情報Ｄ＃ｉの連載情報Ｄｉに関する再配信要求を経路▲２▼で受け付け、この再配信要求に基づく電子書籍情報Ｄ＃ｉから連載情報Ｄｉを抽出して電子連載情報Ｄ０を編集し、電子連載情報Ｄ０を経路▲３▼でユーザ２０へ配信処理するようになされる。
【００３９】
この電子連載情報Ｄ０は、例えば、単行本又はメモリカード（電子記録媒体）に記録され、電子情報配信業者１０５からユーザ２０への経路▲３▼で配布するようになされる。これにより、ユーザ２０は無償又は安価にて単行本コンテンツを受信（入手）できるようになる。ユーザは受信した定期刊行物を購読することができる。携帯型情報端末装置１００では、上述の電子情報配信装置１から配信された雑誌、マンガ、新聞等の電子書籍情報Ｄ＃ｉを情報処理するようになされる。例えば、携帯型情報端末装置１００の表示モニタに映像情報を表示したり、スピーカから音声を出力するようになされる。
【００４０】
なお、ユーザ２０は経路▲２▼で登録したタイトルの単行本発行及び定期刊行物に含まれるタイトル発売等の情報を得ることができる。また、電子情報配信業者１０５は図３に示す経路▲４▼で出版社１０３に対してユーザ情報を提供したり、出版社１０３に対するコンテンツ料を分配する。このような電子書籍配信サービスシステム１０１によって、ユーザは単行本の発売の事前か事後に、希望する単行本を無償あるいは廉価に入手可能なサービスを受けることができる。
【００４１】
図４は電子情報配信装置１の内部構成例を示すブロック図である。図４に示す電子情報配信装置１は連載情報Ｄｉを含む任意の電子書籍情報Ｄ＃ｉを配信する装置であって、定期刊行物の他に例えば、電子単行本を配信するものである。この電子情報配信装置１は、例えば、入力手段１１、表示手段１２、配信管理手段１３、データベース１４、制御装置１５、編集手段１６、配信手段１７及び印刷装置１８を備えている。
【００４２】
制御装置１５はＲＯＭ（Read Only Memory）５１や、ＲＡＭ（Random Access Memory）５２、ＣＰＵ（Central Processing Unit；中央処理ユニット）５３等を有している。ＲＯＭ５１には当該電子情報配信装置全体を制御するためのシステムプログラムが格納される。ＲＡＭ５２はワークメモリとして使用され、例えば、制御コマンド等を一時記憶するようになされる。ＣＰＵ５３は電源がオンされると、ＲＯＭ５１からシステムプログラムを読み出してシステムを起動し、入力手段１１からの操作データに基づいて当該電子情報配信装置全体を制御するようになされる。
【００４３】
この制御装置１５には入力手段１１が接続され、定期刊行物の購読契約を締結する際に、ユーザの住所、氏名、購読期間、電話番号、電子メールアドレス等を入力したり、電子書籍情報Ｄ＃ｉの連載情報Ｄｉに関する再配信要求を受け付けるように操作される。入力手段１１にはキーボードやマウスが使用される。この購読契約時に得られた住所、氏名、購読期間、電話番号、電子メールアドレス等はユーザ情報となる。
【００４４】
制御装置１５には表示手段１２が接続され、この表示手段１２には例えば、定期刊行物の購読契約締結時のユーザ情報を表示するようになされる。表示手段１２にはＣＲＴや液晶表示パネルが使用される。データベース１４の内容を検索する際に、電子連載情報Ｄ０の一部を表示するようにしてもよい。
【００４５】
また、制御装置１５には配信管理手段１３が接続され、ユーザ情報を管理するようになされる。配信管理手段１３は図示しないＣＰＵやメモリ等から構成される。例えば、ＣＰＵはユーザと購読契約された定期刊行物の対象を把握し、その対象をメモリ上に特定して管理する。ユーザの再配信要求に応じて電子定期刊行物に記載の４コママンガ等の連載内容を定期的に集約して単行本を発行に備えるためである。
【００４６】
制御装置１５には更にデータベース１４が接続され、このデータベース１４には図３に示した経路▲１▼で入手した著作権に係る定期刊行物データ等、発行時及び過去の雑誌（週刊誌、月刊誌）、マンガ（コミック）、新聞、文庫新書等の電子書籍情報Ｄ＃ｉが格納される。データベース１４内では定期購読契約があった定期刊行物と、予め登録された単行本のタイトル等を関連付けてユーザ情報を管理するようになされる。ユーザに定期購読に係る電子書籍情報Ｄ＃ｉを配信するためである。
【００４７】
編集手段１６では、例えば、定期刊行物データを電子書籍情報配信用にデータフォーマット変換等され、映像情報や音声情報が作成される。新聞の電子書籍情報Ｄ＃ｉの場合には、４コママンガ、社説、小説等の連載情報Ｄｉが定期刊行物データに組み込まれる。また、編集手段１６では、入力手段１１により受け付けられた再配信要求に基づく電子書籍情報Ｄ＃ｉから連載情報Ｄｉを抽出して電子連載情報Ｄ０を編集するようになされる。
【００４８】
編集手段１６は例えば、記憶手段６１及び画像処理手段６２から構成される。記憶手段６１にはハードディスクやＲＡＭ等が使用される。制御装置１５には記憶手段６１が接続され、この記憶手段６１には再配信要求に係る電子書籍情報Ｄ＃ｉの連載情報Ｄｉがデータベース１４から読み出されて一時記憶される。また、制御装置１５には画像処理手段６２が接続され、制御装置１５の制御を受けて記憶手段６１からユーザ２０の再配信要求に係る連載情報Ｄｉを抽出して電子連載情報Ｄ０を編集する。
【００４９】
配信手段１７は情報通信手段７１及び情報記録手段７２を有しており、編集手段１６により編集された電子連載情報Ｄ０を図３に示した経路▲３▼でユーザ２０へ配信するようになされる。制御装置１５には情報通信手段７１が接続され、電子情報や、電子連載情報Ｄ０をデータ配信する場合に使用され、当該電子情報配信装置１と既存の通信基盤とが接続される。ユーザの携帯型情報端末装置１００にデータストリーム化した電子情報や電子連載情報Ｄ０等をダウンロードするためである。情報通信手段７１には通信モデムが使用される。
【００５０】
更に制御装置１５には情報記録手段７２が接続され、電子連載情報Ｄ０をメモリカード（記録媒体）に記録するようになされる。情報記録手段７２は電子連載情報Ｄ０をパッケージ配布する場合に使用される。例えば、メモリカードは図３に示した経路▲３▼で電子情報配信業者１０５からユーザ２０へ配布される。情報記録手段７２には記録再生装置や、ＲＯＭライタ、光磁気ディスク記録装置等が使用される。このようにすると、単行本に関して電子連載情報Ｄ０を記録可能なパッケージ販売とリンクすることができ、パッケージ販売のシナジー効果が期待できる。
【００５１】
印刷装置１８は電子連載情報Ｄ０を所定の紙に印刷して出力するようになされる。紙に印刷された電子連載情報Ｄ０は図示しないし製本装置によって製本される。図３に示した経路▲３▼で単行本を電子情報配信業者１０５からユーザ２０へ配布するためである。製法された単行本は定期購読者に対して、無償あるいは廉価に配布される。このように、定期購読者が贔屓する雑誌や新聞等の電子刊行物の中の連載漫画等をまとめて編集した電子単行本を配布する電子情報配信装置１を構成することができる。
【００５２】
続いて、電子連載情報Ｄ０の作成例について説明をする。図５Ａ〜Ｃは電子情報配信装置１における電子連載情報Ｄ０の作成例を示す図である。
図５Ａに示すｎ日分の電子刊行物データから電子連載情報Ｄ０を作成する場合に、例えば、各日分の電子書籍情報Ｄ＃ｉから当該発行回の連載情報Ｄｉを抽出する。図４に示した編集手段１６では、例えば、電子書籍が新聞の場合に、４コママンガ、社説、小説等の連載情報Ｄｉが定期刊行物データから分離抽出される。
【００５３】
もちろん、出版社１０３から新聞記事データとこれらの連載情報Ｄｉとを区分して取得し管理している場合は、例えば、４コママンガの連載情報Ｄｉのみをデータベース１４から読み出して初回から終了ｎ回に至る連載情報Ｄｉ（ｉ＝１〜ｎ）を図５Ｂに示すように順序良く並べ換えるように編集する。
【００５４】
図５Ｃにおいて、連載情報Ｄｉをパッケージ販売する場合は、図４に示した情報記録手段７２にメモリカードを装着し、そのメモリカードへ電子連載情報Ｄ０＝Ｄ１＋Ｄ２・・・・Ｄｎを記録するようになされる。このようにすると、単行本に関してパッケージ販売のシナジー効果が期待できる。
【００５５】
更に、図５Ｄにおいて、連載情報Ｄｉをデータ配信する場合は、図４に示した情報通信手段７１で電子連載情報Ｄ０＝Ｄ１＋Ｄ２・・・・Ｄｎをデータストリーム化した後にユーザの携帯型情報端末装置１００へダウンロードする。データストリーム化された電子連載情報Ｄ０は、ヘッダ情報ＨＤの後に連載情報Ｄ１を成す例えば、初回の４コママンガのＤａｔａ１、連載情報Ｄ２を成す第２回目の４コママンガのＤａｔａ２、・・・・・連載情報Ｄｎを成す第ｎ回目（終了回）の４コママンガのＤａｔａｎが記述される。
【００５６】
続いて、携帯型情報端末装置１００について説明をする。図６は携帯型情報端末装置１００の外観例を示す斜視図である。図６に示す携帯型情報端末装置１００は電子書籍情報Ｄ＃ｉに基づく映像及び音声を出力する装置であって、所定の電子回路を収納した筐体１０２及び１０４を備えている。これらの筐体１０２及び１０４は回動軸１０６を介して回動自在に接続している。これにより、筐体１０２及び１０４は回動軸１０６を介して実際の書籍を開くように開閉動作可能となる。
【００５７】
筐体１０２、１０４の内側には、それぞれ表示部１０８、１１０が設けられている。表示部１０８は筐体１０２、１０４を開いた場合に左側に位置するので、左側表示部１０８ともいう。また表示部１１０は筐体１０２、１０４を開いた場合に右側に位置するので、右側表示部１１０ともいう。これら表示部１０８、１１０は例えば液晶表示器により構成される。これら表示部１０８、１１０に新聞、雑誌などの見開きページの電子書籍情報Ｄ＃ｉをそれぞれ表示させることにより、実際の新聞、雑誌などを見開いたように表示させることができる。
【００５８】
筐体１０２、１０４及び回動軸１０６には、操作ボタン等の操作部が設けられている。例えば回動軸１０６の下方には、ジョグレバー１１２が設けられている。ジョグレバー１１２は、上方向、下方向、押方向にそれぞれスイッチが入るようになっている。また回動軸１０６の上方には電源をオンオフするための電源ボタン１１４が設けられている。回動軸のジョグレバー１１２の上下には、それぞれ戻りボタン１１６、進みボタン１１８が設けられている。ここでは、戻りボタン１１６は前の画面に戻るときに用いられ、進みボタン１１８は次の画面に進むときに用いられる。その他、回動軸１０６には、他リセットボタンなどの操作ボタンを設けてもよい。
【００５９】
筐体１０２、１０４には、それぞれページめくりボタンが設けられている。ページめくりボタンは、ジョグレバー１１２の左側位置に設けられたページめくり左ボタン１２０、ジョグレバー１１２の右側位置に設けられたページめくり右ボタン１２２がある。ここでは、ページめくり左ボタン１２０はページを進めていくときに用いられ、ページめくり右ボタン１２２はページを戻していくときに用いられる。
【００６０】
筐体１０２には、上記ページめくり左ボタン１２０の下側位置に左側拡大ボタン１２４が設けられている。この左側拡大ボタン１２４は例えば左側表示部１０８のウインドウに表示された文字などを拡大するときに用いられる。筐体１０４には、上記ページめくり右ボタン１２２の下側位置に右側拡大ボタン１２６が設けられている。この右側拡大ボタン１２６は例えば右側表示部１１０のウインドウに表示された文字などを拡大するときに用いられる。なお、筐体１０２の右側表示部１１０の下方には、音声、音楽などの音を出力するスピーカ１２８が設けられている。例えば後述する記事ボタンで選択された記事の記事内容を音声で出力したり、その記事に関連する音楽や音などを出力したりする際に利用する。
【００６１】
筐体１０２の側端部には、電子情報インタフェース１３０が設けられている。この電子情報インタフェース１３０は、例えば新聞、雑誌などの電子書籍情報Ｄ＃ｉが記録されたメモリカードなどの半導体メモリからなる電子情報記録媒体１３２が出入自在に設けられている。なお、電子情報インタフェース１３０は、無線や有線により例えばインターネットなどのネットワークに接続して電子書籍情報Ｄ＃ｉを受信できるように構成してもよい。
【００６２】
電子書籍情報Ｄ＃ｉは、少なくとも、新聞や雑誌などのように複数の記事を有する紙面のイメージ情報と、各記事又は各記事が記載された区画に関連付けられた記事の内容情報とを含む。上記イメージ情報は、新聞や雑誌の紙面（ページ）をまるごとイメージ化したイメージデータである。このイメージ情報に基づいて新聞や雑誌をページごと左側表示部１０８又は右側表示部１１０に表示させる。これにより、記事の区画がどのように配置されているがわかる。この記事の紙面レイアウトにより、どの記事が重要か、今話題となっている記事は何かなどが一目でわかる。また、上記記事内容情報は、紙面のイメージ情報における記事区画、例えば記事の位置に関連付けられる。
【００６３】
各記事の内容情報は、各記事の内容を文字データや写真などの画像データにより構成したものである。この記事内容情報は、記事が選択されると、その記事の内情情報が左側表示部１０８又は右側表示部１１０に表示される。この場合に例えば記事内容を縦書や横書の可読サイズのテキスト表示により表示部全面に表示すれば、紙面イメージでは文字が小さくて読みにくい記事の内容も、テキスト表示などにより読みやすく表示されるので、容易に読むことができる。また、電子連載情報Ｄ０に基づく電子単行本も同様にして当該携帯型情報端末装置１００によって容易に読むことができる。
【００６４】
図７は携帯型情報端末装置１００の内部構成例を示すブロック図である。図７に示す携帯型情報端末装置１００は、制御部本体を構成するＣＰＵ２００、各回路を制御するプログラムが格納されている記録媒体の一例としてのＲＯＭ２０２、ＣＰＵ２００がＲＯＭ２０２から必要に応じて読出したプログラムを展開して記憶するメモリ領域などを設けたＲＡＭを備える。
【００６５】
また、新聞、雑誌などの電子書籍情報Ｄ＃ｉや、電子単行本等の電子連載情報Ｄ０に対して描画処理を行うためのＶＲＡＭ（Video RAM）２０６、新聞、雑誌などの電子書籍情報Ｄ＃ｉや、電子単行本等の電子連載情報Ｄ０に対して所定の処理を行う電子情報処理部２０８、上記ジョグレバー１１２や各操作ボタン（電源ボタン１１４、ページめくりボタン１２０、１２２等）を有する操作部２１２を制御する操作制御部２１０、上記表示部１０８、１１０、スピーカ１２８を制御するスピーカ制御部２１８、電子情報インタフェース１３０などを備える。
【００６６】
その他、電子情報インタフェース１３０から取り込んだ電子書籍情報Ｄ＃ｉや電子連載情報Ｄ０を一時的に記憶するメモリなどを設けてもよい。また上述したＲＯＭ２０２を読み書き可能なメモリ（ＥＥＰＲＯＭ等）で構成して、電子情報インタフェース１３０からプログラムを取り込むようにしてもよい。この場合、プログラムは、半導体メモリから取り込んでもよく、またインターネットなどのネットワークを介してＷｅｂページなどから取り込むようにしてもよい。
【００６７】
このＣＰＵ２００とＲＯＭ２０２、ＲＡＭ２０４、ＶＲＡＭ２０６、電子情報処理部２０８、操作制御部２１０、表示制御部２１４、スピーカ制御部２１８、電子情報インタフェース１３０とはバスライン２２０により電気的に接続されている。ＣＰＵ２００は、ＲＯＭ２０２に格納されているプログラムを必要に応じて読み出し、読み出したプログラムをＲＡＭ２０４に展開して記憶する。ＣＰＵ２００は、このＲＡＭ２２に展開されているプログラムを読み出して実行することにより携帯型情報端末装置１００の各回路を制御するようになっている。
【００６８】
ＣＰＵ２００は、電子情報記録媒体１３２に記録されている新聞、雑誌などの電子書籍情報Ｄ＃ｉ（電子データ）や、電子単行本等の電子連載情報Ｄ０を電子情報インタフェース１３０を介して読み出して、読み出した電子データに基づいて画像データを生成し、その画像データをＶＲＡＭ２０６に転送して描画処理を行う。ＣＰＵ２００は、ＶＲＡＭ２０６に書き込まれた画像データを読出し、読出した画像データを表示制御部２１４を介して表示部１０８、１１０に転送して表示する。これにより、電子連載情報Ｄ０に基づく電子単行本も新聞、雑誌などの電子書籍情報Ｄ＃ｉと同様にして当該携帯型情報端末装置１００によって容易に読むことができる。
【００６９】
図８は携帯型情報端末装置１００における定期購読時及び再配信要求時の処理例を示すフローチャートである。
この実施例では電子書籍情報配信サービスシステムの一例となる電子週間マンガ配信サービスシステムを構築し、既存の通信基盤を利用して電子週刊マンガ等の電子書籍情報Ｄ＃ｉや、その贔屓のタイトルの電子連載情報Ｄ０を受信する場合を前提とする。電子連載情報Ｄ０は紙又は電子記録媒体に記録して配布する場合を例に挙げる。
【００７０】
これを処理条件にして、まず、図８に示すフローチャートのステップＢ１でユーザ２０は電子情報配信業者１０５に対して電子書籍情報Ｄ＃ｉの定期購読を契約する。この定期購読契約に関しては定期に限られることはなく、不定期であってもかまわない。例えば、ユーザは電子週刊マンガの定期購読を電子情報配信業者１０５に対して登録する。
【００７１】
そして、ステップＢ２でその特定のタイトルの連載情報Ｄｉを含む、電子週刊マンガに係る電子書籍情報Ｄ＃ｉを電子情報配信業者１０５の電子情報配信装置１からユーザ２０の携帯型情報端末装置１００で毎週受信する。これにより、ユーザは、週１回、その電子週刊マンガコンテンツを入手でき購読することができる。例えば、電子週刊マンガに係る電子書籍情報Ｄ＃ｉに基づく映像を携帯型情報端末装置１００の表示部１０８や１１０に表示したり、スピーカから音声を出力するようになされる。
【００７２】
そして、ユーザ２０はステップＢ３で電子書籍情報Ｄ＃ｉの連載情報Ｄｉに関する再配信を要求するかを判断する。この際の判断はユーザである。これは電子週刊マンガに係る電子書籍情報Ｄ＃ｉを購読中に特定のタイトルを贔屓する場合が有り、この特定のタイトルの電子連載情報Ｄ０の再配信要求を登録するためである。もちろん、定期購読以前からその電子週刊マンガの中で特定タイトルのものを他のメディア等で贔屓している場合には、その特定のタイトルを定期購読申し込み時に登録しておいてもよい。このとき、ユーザは電子単行本を無償提供で受けるか、安価に入手するかを電子情報配信業者１０５に対して交渉するようにしてもよい。
【００７３】
再配信要求をしない場合はステップＢ２に戻る。再配信を要求する場合はステップＢ４に移行するが、この連載情報Ｄｉに関する再配信要求が有った場合は、電子情報配信業者１０５では再配信要求に基づく電子週刊マンガに係る電子書籍情報Ｄ＃ｉから特定タイトルの連載情報Ｄｉを抽出して電子連載情報Ｄ０を編集するようになされる。この編集で電子連載情報Ｄ０をデータストリーム化又は及び電子単行本化するようになされる。
【００７４】
ここで編集された電子連載情報Ｄ０は、ユーザ２０へデジタル配信又は電子情報記録媒体１３２により配布される。例えば、３〜４ヶ月後に、その贔屓のタイトルの単行本が電子化されて（あるいはパッケージされて）発売される。このとき、電子情報配信業者１０５の発売情報を入手することができる。これを受けてユーザは、ステップＢ４に移行してデータストリーム化された電子単行本を例えば、携帯型情報端末装置１００で受信してＥＥＰＲＯＭ（ＲＯＭ２０２に代わるもの）等へダウンロードする。もちろん、ユーザ２０はメモリカードなどの電子記録媒体１３２に記録されて特定タイトルの連載情報Ｄｉを入手するようにしてもよい。
【００７５】
なお、ステップＢ５でユーザは定期購読を解約するか否かを判断する。定期購読を解約する場合は、ステップＢ６に移行して電子情報配信業者１０５に解約通知をして情報処理を終了する。購読を継続する場合はステップＢ２に戻って上述した処理を繰り返すようになされる。また、契約している定期刊行物で登録していないタイトルについても希望があれば同様のサービスを受けることが出来る。
【００７６】
図９は電子情報配信装置１における処理例を示すフローチャートである。この実施例でユーザは電子週間マンガ配信サービスシステムにおいて、電子週間マンガを購読するサービスを登録することが前提となる。また、電子情報配信業者１０５では、定期購読実績に基づいて電子連載情報Ｄ０の無償提供等を決める場合を例に挙げる。
【００７７】
これらを処理条件にして、図９に示すフローチャートのステップＣ１で電子情報配信業者１０５はユーザ２０からの定期購読の登録を待機する。ユーザ２０からの定期購読の登録は、例えば、ユーザ２０の携帯型情報端末装置１００から電子情報配信業者１０５の電子情報配信装置１を発呼することにより、通信回線が接続され、ユーザ２０と電子情報配信業者１０５との間で電子書籍情報Ｄ＃ｉの定期購読契約を実行するようになされる。この定期購読契約に関しては定期又は不定期を問わない。
【００７８】
このとき、例えば、特定タイトルの連載情報Ｄｉを含む電子週刊マンガの定期購読が登録される。もちろん、定期購読は電子週刊マンガに限られることはなく、雑誌（週刊誌、月刊誌）、新聞、文庫新書等の電子刊行物であってもよい。
【００７９】
そして、ステップＣ２で電子情報配信装置１からユーザ２０の携帯型情報端末装置１００へ特定タイトルの連載情報Ｄｉを含む電子週刊マンガの電子書籍情報Ｄ＃ｉが毎週定期的に配信される。ユーザは、週１回、その電子週刊マンガコンテンツを入手でき購読することができる。例えば、電子週刊マンガに係る電子書籍情報Ｄ＃ｉに基づく映像を携帯型情報端末装置１００の表示部１０８や１１０に表示したり、スピーカから音声を出力するようになされる。
【００８０】
そして、電子情報配信業者１０５ではステップＣ３で電子書籍情報Ｄ＃ｉの連載情報Ｄｉに関する再配信要求を受け付ける。受付期間は任意でも期限を区切ってもよい。このとき、電子情報配信業者１０５では、定期購読実績に基づいて電子連載情報Ｄ０の無償提供等を決めることができる。例えば、贔屓のレベル付けをして、１番は無償、２番以降は安価に提供するようになされる。これは電子定期刊行物及び電子単行本の需要を増加させるためである。
【００８１】
この連載情報Ｄｉはユーザ２０に配信した電子書籍情報Ｄ＃ｉに含まれるものである。この例で、連載情報Ｄｉに関する再配信要求が有った場合は、電子情報配信業者１０５ではステップＣ４に移行して再配信要求に基づく電子書籍情報Ｄ＃ｉから連載情報Ｄｉを抽出して電子連載情報Ｄ０を編集するようになされる。この編集で電子連載情報Ｄ０をデータストリーム化又は及び電子単行本化するようになされる。
【００８２】
ここで編集された電子単行本をステップＣ５でユーザ２０へ配信又は配布する。このとき、電子単行本を紙に記録して製本して配布する場合、データストリーム化された電子単行本をユーザ２０の携帯型情報端末装置１００へダウンロードする場合、又は、メモリカードなどの電子記録媒体に記録されて配布する場合により実行される。ユーザ２０の要求に応じていずれの形態で電子連載情報Ｄ０を提供するようにしてもよい。その後、ステップＣ６へ移行する。
【００８３】
なお、ステップＣ３で連載情報Ｄｉに関する再配信要求が無かった場合は、ステップＣ６に移行して電子情報配信業者１０５では定期購読を解約する通知が有ったかをチェックする。定期購読を解約する通知が無い場合は、ステップＣ２に戻って連載情報Ｄｉを含む電子書籍情報Ｄ＃ｉを定期又は不定期にユーザ２０に配信する処理を継続する。
【００８４】
定期購読を解約する通知が有った場合は、ステップＢ６に移行して電子書籍情報Ｄ＃ｉの配信処理の終了判断をする。この際の判断は電子情報配信事業者である。電子書籍情報Ｄ＃ｉの配信処理を継続する場合はステップＢ１に戻って、定期購読の登録を待機する。以下、上述した処理を繰り返すようになされる。電子情報配信事業者の判断によって電子書籍情報Ｄ＃ｉの配信処理を終了する。
【００８５】
このように、本発明に係る実施例としての電子書籍情報配信サービスシステムによれば、特定タイトルの連載情報Ｄｉを含む電子週刊マンガの電子書籍情報Ｄ＃ｉを配信する場合に、電子情報配信装置１ではその電子書籍情報Ｄ＃ｉの連載情報Ｄｉに関する再配信要求が受け付けられる。その編集手段１６では、入力手段１１により受け付けられた再配信要求に基づく電子書籍情報Ｄ＃ｉから連載情報Ｄｉを抽出して電子連載情報Ｄ０を編集するようになされる。これを前提として、配信手段１７では、編集手段１６により編集された電子連載情報Ｄ０をユーザ２０へ配信するようになされる。
【００８６】
従って、既配信済み電子書籍情報Ｄ＃ｉの中でユーザ２０が再配信要求する連載情報Ｄｉをまとめた特定タイトルの電子連載情報Ｄ０を再現性良くかつ確実に取得できるようになる。つまり、ユーザは、自分が贔屓する特定タイトルの電子連載情報Ｄ０を入手することができる。また、電子情報配信業者１０５ではユーザ２０が欲する単行本を安価に、タイムリーに提供することができる。これにより、ユーザ２０において、既配信済みの電子週刊マンガを記録媒体等から読み出してその電子週刊マンガの中から連載情報Ｄｉを拾い読みする場合に比べて効率良く、かつ、連続性良く特定タイトルの電子連載情報Ｄ０を読み楽しむことができる。
【００８７】
この実施例では電子情報に関して電子週刊マンガに係る電子書籍情報Ｄ＃ｉの場合について説明したが、これに限られることはなく、雑誌（週刊誌、月刊誌）、新聞、文庫新書等の電子刊行物の場合であっても本発明の効果を得ることができる。
【００８８】
【発明の効果】
以上説明したように、本発明に係る電子情報配信システムによれば、連載情報を含む任意の電子情報を配信する電子情報配信装置を備え、この電子情報配信装置は電子情報の連載情報に関する再配信要求の受け付け処理をし、再配信要求に基づく電子情報から連載情報を抽出して電子連載情報を編集処理し、この電子連載情報を使用者へ配信処理するものである。
【００８９】
この構成によって、既配信済みの電子刊行物を記録媒体等から読み出してその電子刊行物の中から連載情報を拾い読みする場合に比べて効率良く、かつ、連続性良く電子連載情報を読み楽しむことができる。しかも、定期購読者の情報処理装置において、連載情報を後日読み直すための既配信済みの電子刊行物を全て記録するメモリ容量に比べて再配信要求に基づく電子連載情報を記憶するメモリ容量を大幅に削減することができる。また、電子刊行物配信事業者にとって電子刊行物や電子単行本の販売拡大を図ることができる。これにより、定期購読者が贔屓する雑誌や新聞等の電子刊行物の中の連載漫画等をまとめて編集した電子単行本を配布するサービスシステム等を構築することができる。
【００９０】
本発明に係る電子情報配信装置によれば、連載情報を含む任意の電子情報を配信する場合に、再配信要求に基づく電子情報から連載情報を抽出し編集された電子連載情報を使用者へ配信する配信手段を備えるものである。
【００９１】
この構成によって、既配信済み電子情報の中で使用者が再配信要求する連載情報をまとめた電子連載情報を再現性良くかつ確実に取得できるようになる。従って、使用者において、既配信済みの電子刊行物を記録媒体等から読み出してその電子刊行物の中から連載情報を拾い読みする場合に比べて効率良く、かつ、連続性良く電子連載情報を読み楽しむことができる。しかも、定期購読者が贔屓する雑誌や新聞等の電子刊行物の中の連載漫画等をまとめて編集した電子単行本を配布するサービスシステム等に十分応用することができる。
【００９２】
本発明に係る電子情報配信方法によれば、連載情報を含む任意の電子情報を配信する場合に、電子情報の連載情報に関する再配信要求を受け付け、この再配信要求に基づく電子情報から連載情報を抽出して電子連載情報を編集し、ここで編集された電子連載情報を使用者へ配信するようになされる。
【００９３】
この構成によって、既配信済みの電子刊行物を記録媒体等から読み出してその電子刊行物の中から連載情報を拾い読みする場合に比べて効率良く、かつ、連続性良く電子連載情報を読み楽しむことができる。しかも、定期購読者が贔屓する雑誌や新聞等の電子刊行物の中の連載漫画等をまとめて編集した電子単行本を配布するサービスシステム等の構築に寄与するところが大きい。
【００９４】
この発明は定期又は不定期購読者を対象とした電子雑誌配信サービスシステムや、電子漫画配信サービスシステム、電子新聞配信サービスシステム等に適用して極めて好適である。
【図面の簡単な説明】
【図１】本発明に係る実施形態としての電子情報配信システム１０の構成例を示すブロック図である。
【図２】電子情報配信システム１０における処理例を示すフローチャートである。
【図３】本発明に係る実施例としての電子書籍配信サービスシステム１０１の構成例を示す図である。
【図４】電子情報配信装置１の内部構成例を示すブロック図である。
【図５】Ａ〜Ｃは電子情報配信装置１における電子連載情報Ｄ０の作成例を示す図である。
【図６】携帯型情報端末装置１００の外観例を示す斜視図である。
【図７】携帯型情報端末装置１００の内部構成例を示すブロック図である。
【図８】携帯型情報端末装置１００における情報処理例を示すフローチャートである。
【図９】電子情報配信装置１における情報処理例を示すフローチャートである。
【符号の説明】
１・・・電子情報配信装置、２・・・情報処理装置、３・・・通信手段、４・・・携帯電話機（情報処理装置）、５Ａ，５Ｂ・・・回線接続装置、１０・・・電子情報配信システム、１１・・・入力手段、１２・・・表示手段、１３・・・配信管理手段、１４・・・データベース、１５・・・制御装置、１６・・・編集手段、１７・・・配信手段、１８・・・印刷装置、６１・・・記憶手段、６２・・・画像処理手段、７１・・・情報通信手段、７２・・・情報記録手段、１００・・・携帯型情報端末装置、１０１・・・電子書籍情報配信サービスシステム（電子情報配信システム）、１３２・・・電子情報記録媒体
【図１】
2004199185.tif 000003
【図２】
2004199185.tif 000004
【図３】
2004199185.tif 000005
【図４】
2004199185.tif 000006
【図５】
2004199185.tif 000007
【図６】
2004199185.tif 000008
【図７】
2004199185.tif 000009
【図８】
2004199185.tif 000010
【図９】
2004199185.tif 000011